(57)【要約】【課題】第１のアームと第２のアームを結合するヒンジ機構を一本の錠装置により結合した一軸構造とし、ヒンジ機構の構造を簡略化して製作コストの低減が可能になり、かつ、自動販売機等の扉の開閉時の操作性を簡略化することができ、自動販売機等に対して取り付け位置に制約がない窃盗防止装置を提供する。【解決手段】第１のアーム１２と第２のアーム１３を、ヒンジ機構１４で一本の錠装置１５を支点にして伸直状態から一面側へＬ字状に折り曲げ可能となるよう連結し、第１のアーム１２と第２のアーム１３の背面側にそれぞれビス孔を設け、上記錠装置１５が施錠位置で両アーム１２、１３の折り曲げ状態をロックし、開錠位置で両アーム１２、１３の伸直を可能にするようになっている。【選択図】　図２
2004019317.tif 000002
【特許請求の範囲】
【請求項１】
第１のアームと第２のアームを、一本の錠装置を支点にして伸直状態から一面側へＬ字状に折り曲げ可能となるよう連結し、少なくとも第１のアームの一面側にビス孔を設け、上記錠装置が施錠位置で両アームの折り曲げ状態をロックし、開錠位置で両アームの伸直を可能にするようになっている窃盗防止装置。
【請求項２】
上記第１のアームと第２のアームのそれぞれの一面側にビス孔を設けた請求項１に記載の窃盗防止装置。
【請求項３】
上記第１のアームは結合側端部に相対向する一対の支持片が設けられ、第２のアームの結合側端部に上記支持片間に嵌め合わせる取付片を設け、第１のアームの一方支持片に錠装置の貫通収納孔と他方支持片に角形凹部を設け、第２のアームの取付片に上記貫通収納孔及び角形凹部と互いに連通する角孔を貫通状に設け、錠装置は、貫通収納孔内に軸方向への一定ストロークの移動が可能となるよう抜け止め状に嵌挿した外筒内に、抜き差し可能となるキーの操作で外筒に対して回動する錠本体を軸方向に一体動するよう収納し、上記錠本体の内端側に一体動するよう突設した軸の先端に他方支持片の角形凹部内に回転可能に納まり、周囲に切り欠きを有する鍔を設け、上記軸の途中に角孔内へ回転不可で軸方向に移動可能となるよう嵌合し、錠本体と一体の軸方向への移動で、他方支持片の角形凹部に対して嵌合するロック位置と角形凹部から抜け出るロック解除位置とに移動する角形のロック部材を取り付け、他方支持片の角形凹部の内部に、錠本体が施錠位置にあるとき鍔が抜け方向に移動不能に係合して上記ロック部材のロック位置を保持し、錠本体が開錠位置にあるとき鍔の切り欠き部分が通過して上記ロック部材のロック解除位置への移動を可能とする係止突部を設けて形成されている請求項１又は２に記載の窃盗防止装置。
【発明の詳細な説明】
【０００１】
【発明の属する技術分野】
この発明は、自動販売機やガレージ、工場等におけいて、扉の錠前を破壊できないようにしたり、錠前を破壊しても開扉することができないようにする窃盗防止装置に関する。
【０００２】
【従来の技術】
例えば、自動販売機は、その内部に、販売せんとする商品だけでなく、多額の釣り銭や売り上げ金が収納されているため、夜間や人通りの少ない場所に設置された自動販売機から金品を窃盗する犯罪が近年多発している。この窃盗の手口は、一般的に、扉の錠前を破壊して開扉することによって行われる。
【０００３】
また、自動販売機の内部には、高価な電子制御装置が組み込まれており、金品を目的とした窃盗時にこの電子制御装置が破壊されることが多々あり、金品の窃盗以上に大きな経済的損害を被ることになる。
【０００４】
このような犯罪に対処するため、図８に示すように、自動販売機１の扉２の錠前を破壊しても開扉することができないようにする、窃盗防止装置３がすでに提案されている。
【０００５】
従来の窃盗防止装置３は、図９と図１０に示すように、取り付けアーム４と、この取り付けアーム４の先端にヒンジ機構５で取り付けられた覆いアーム６と、上記取り付けアーム４と覆いアーム６のヒンジ機構５の部分に組み込んだ錠装置７とで構成され、覆いアーム６は、錠装置７の開錠状態で取り付けアーム４に対して伸直状態と一面側への略直角の折り曲げ可能となるよう回動し、覆いアーム６の折り曲げ状態を錠装置７の施錠によってロックするようになっている。
【０００６】
上記窃盗防止装置３は、取り付けアーム４を自動販売機１の本体１ａの側面に、錠装置７を施錠して折り曲げ状態をロックした覆いのアーム６が扉２の錠前を覆うように固定し、錠前を覆いアーム６で保護することにより破壊から守るようにすると共に、扉２を開くときは錠装置７をキーで開錠状態にして覆いアーム６を伸直状態にし、扉２と錠前の前面を開放する。
【０００７】
上記従来の窃盗防止装置３は、取り付けアーム４に対して覆いアーム６を回転と長さ方向への移動が可能となるようヒンジ機構５を形成し、錠装置７は開錠状態で覆いアーム６の回動と長さ方向への移動を許容し、折り曲げた覆いアーム６を押し込んだ状態で錠装置７を施錠してロックするようになっている。
【０００８】
【発明が解決しようとする課題】
ところで、上記従来の窃盗防止装置３は、ヒンジ機構５が覆いアーム６の回転と長さ方向への移動を許容するような構造になっているので、ヒンジ機構５の構造が複雑になり、製作コストが高くつくだけでなく、施錠した扉２を保護するには、図１０（Ａ）に示したように、覆いアーム６を長さ方向へ引っ張った移動位置で回転させ、次に図１０（Ｂ）のように覆いアーム６を回動させ、更に図１０（Ｃ）のごとく長さ方向へ押し込む操作が必要になり、その分、自動販売機の扉の開閉時の操作が煩雑になるという問題がある。
【０００９】
また、窃盗防止装置３における錠装置７は、自動販売機への取り付け時に下面側に位置するようにするのが、雨水の浸入により回動性の悪化防止と、故意による錠本体の破壊行為の防止の点で必要であるが、従来の窃盗防止装置３は、取り付けアーム４が自動販売機１への固定用、覆いアーム６が錠前の覆い用として特定された構造になっていたため、錠装置７の制約から使い勝手に制限があり、例えば、右開き扉用と左開き扉用を別個に製作しなければならないという不便がある。
【００１０】
そこで、この発明の課題は、二つのアームの結合を一本の錠装置による一軸構造とし、ヒンジ機構の構造を簡略化して製作コストの低減が図れると共に、扉の開閉時の操作が簡単になり、しかも、自動販売機等に対して取り付け位置に制約がない窃盗防止装置を提供することにある。
【００１１】
【課題を解決するための手段】
上記のような課題を解決するため、この発明は、第１のアームと第２のアームを、一本の錠装置を支点にして伸直状態から一面側へＬ字状に折り曲げ可能となるよう連結し、少なくとも第１のアームの一面側にビス孔を設け、上記錠装置が施錠位置で両アームの折り曲げ状態をロックし、開錠位置で両アームの伸直を可能にするようになっている構成を採用したものである。
【００１２】
上記第１のアームと第２のアームのそれぞれの一面側にビス孔を設けた構造とすることができる。
【００１３】
ここで、第１のアームは結合側端部に相対向する一対の支持片が設けられ、第２のアームの結合側端部に上記支持片間に嵌め合わせる取付片を設け、第１のアームの一方支持片に錠装置の貫通収納孔と他方支持片に角形凹部を設け、第２のアームの取付片に上記貫通収納孔及び角形凹部と互いに連通する角孔を貫通状に設け、錠装置は、貫通収納孔内に軸方向への一定ストロークの移動が可能となるよう抜け止め状に嵌挿した外筒内に、抜き差し可能となるキーの操作で外筒に対して回動する錠本体を軸方向に一体動するよう収納し、上記錠本体の内端側に一体動するよう突設した軸の先端に他方支持片の角形凹部内に回転可能に納まり、周囲に切り欠きを有する鍔を設け、上記軸の途中に角孔内へ回転不可で軸方向に移動可能となるよう嵌合し、錠本体と一体の軸方向への移動で、他方支持片の角形凹部に対して嵌合するロック位置と角形凹部から抜け出るロック解除位置とに移動する角形のロック部材を取り付け、他方支持片の角形凹部の内部に、錠本体が施錠位置にあるとき鍔が抜け方向に移動不能に係合して上記ロック部材のロック位置を保持し、錠本体が開錠位置にあるとき鍔の切り欠き部分が通過して上記ロック部材のロック解除位置への移動を可能とする係止突部を設けて形成されている構造とすることができる。
【００１４】
上記した第１のアームと第２のアームは、略等しい長さに形成され、第２のアームにも一面側にビス孔を設けることにより、自動販売機等の本体に対して何れのアームでも固定することができ、右開き扉と左開き扉の何れにも対応することができる。
【００１５】
即ち、窃盗防止装置は、自動販売機等への取り付け時に錠本体の端部が下向きになるようにするのが望ましく、自動販売機の本体に対して第１と第２の何れのアームでも固定することができるようにすれば、右開き扉と左開き扉の何れにも錠本体の端部を下向きにして使用できることになる。
【００１６】
また、自動販売機等の側面に出っ張りがある場合、自動販売機等の側面に対するアームの固定にはスペーサプレートが使用され、このスペーサプレートとアームはボルトで結合し、スペーサプレートを植込みボルトで自動販売機等の側面に固定する。
【００１７】
【発明の実施の形態】
以下、この発明の実施の形態を図示例と共に説明する。
【００１８】
図１と図５に示すように、この発明の窃盗防止装置１１は、強度のある金属材料を用いて横長の矩形状に形成した第１のアーム１２と第２のアーム１３及び、第１のアーム１２と第２のアーム１３を結合するヒンジ機構１４の部分に組み込まれ、第１のアーム１２と第２のアーム１３を伸直状態から一面側へＬ字状に折り曲げ可能となるよう連結する一本の錠装置１５とで形成されている。
【００１９】
上記第１のアーム１２は、図３のように、第２のアーム１３との結合側端部に、上下に相対向する一対の支持片１６と１７が長さ方向に突出するよう設けられ、背面の先端側の位置に複数のビス孔１８が設けられている。
【００２０】
上記した下位の支持片１７に、錠装置１５の取り付け孔１９が上下に貫通するよう設けられ、上位の支持片１６には、下位の支持片１７と対向する面で開口する角形凹部２０が取り付け孔１９と同軸心の配置で設けられている。
【００２１】
また、第２のアーム１３は、図４のように、第１のアーム１２との結合側端部に、上記した上下の支持片１６、１７間に嵌め合わせる取付片２１が長さ方向に半円状となって突出するよう設けられ、背面で先端側の位置に複数のビス孔２２が設けられている。上記取付片２１には、上下に貫通する角孔２３が設けられ、第１のアーム１２の支持片１６、１７間に取付片２１を嵌め込んだ状態で、角孔２３は取り付け孔１９及び角形凹部１９と同軸心の配置となり、この取り付け孔１９と角孔２３及び角形凹部１９にわたって嵌め込んだ錠装置１５が、第１のアーム１２と第２のアーム１３を結合している。
【００２２】
従って、第１のアーム１２と第２のアーム１３は、上下の支持片１６、１７と取付片２１及びこれを結合する錠装置１５でヒンジ機構１４が構成され、第１のアーム１２と第２のアーム１３が、錠装置１５を支点とし、伸直状態から背面側へＬ字状に折り曲げ可能となる。
【００２３】
上記錠装置１５は、図５と図６のように、貫通収納孔１９内に嵌挿した外筒２４内にシリンダ錠からなる錠本体２５を軸方向に一体動するよう収納し、錠本体２５の上端側に一体動するよう突設した軸２６の先端に、角形凹部１９内に回転可能に納まり、周囲に切り欠き部分２７を有する鍔２８を設け、上記軸２６に、この軸２６に対して回転可能となり、角孔２３内へ回転不可で軸方向に移動可能となるよう嵌合する角形のロック部材２９と、軸２６に対してロック部材２９を軸方向に一体化するための筒体３０が取り付けられている。
【００２４】
上記外筒２４の外面に設けた軸方向の長孔３１に、下位の支持片１７に外部から螺入した回り止めビス３２が嵌合し、長孔３１の範囲で上下動可能となり、外筒２４は上昇位置で貫通収納孔１９内に全長が没入し、下降位置で所定長さが下位の支持片１７の下方に突出することになる。
【００２５】
錠本体２５は、この外筒２４内に上下軸方向に一体動し、略９０度回転可能となるよう収納され、鍵孔に挿入したキー３３の操作により、回転方向の一端で外筒２４に対して回転不能の施錠状態となり、この位相でキー３３の抜き差しが可能な構造になっている。
【００２６】
上記ロック部材２９は、図６（Ｂ）のように、錠本体２５が下降位置にあるとき角孔２３内に全長が収まり、第１のアーム１２と第２のアーム１３の回動を許容し、また、図６（Ａ）のように、錠本体２５が上昇位置にあるとき角孔２３と角形凹部２０の両者に跨がって嵌まり合い、第１のアーム１２と第２のアーム１３のＬ字状の屈曲状態を固定化することになる。
【００２７】
上記した角形凹部２０の内部に上位の支持片１６に対して外部から螺入した係止突部３４が突出し、図６（Ｂ）のように、鍔２８は錠本体２５が下降位置にあるとき、この係止突部３４よりも下に位置し、また、図６（Ａ）のように、錠本体２５が上昇位置にあるとき係止突部３４よりも上に位置する。この鍔２８は、錠本体２５が回転方向の他端側の開錠位置にある時、図７（Ａ）のように、切り欠き部分２７が係止突部３４の直上又は直下に位置し、切り欠き部分２７が係止突部３４を通過することで開錠位置にある錠本体２５の上下動を可能にする。
【００２８】
また、錠本体２５が上昇位置にあるとき、キー３３によって錠本体２５を施錠位置に回動させると、図７（Ｄ）のように、一体に回動する鍔２８の切り欠き部分２７が係止突部３４の直上から９０度変位し、鍔２８は係止突部３４に対して引き下げ方向に係合することで錠本体２５の下降位置への移動を阻止し、これにより、第１のアーム１２と第２のアーム１３のＬ字状の屈曲状態がロックされることになる。
【００２９】
なお、窃盗防止装置１１の使用例として図示した自動販売機１の本体１ａの側面には、図２のように、扉２との関係から張出部分ａのある場合があり、第１のアーム１２又は第２のアーム１３を本体ａの側面に固定するときに、上記張出部分ａを逃がすために、スペーサプレート３５が別途用意されている。
【００３０】
このスペーサプレート３５は、横長の矩形板に形成され、第１のアーム１２又は第２のアーム１３の背面側に重ね、ビス孔１８又は２２にねじ込む埋め込みボルト３６で第１のアーム１２又は第２のアーム１３と結合すると共に、背面に突設した植込みボルト３７で本体１ａの側面に固定することにより、スペーサプレート３５の厚みで張出部分ａを逃がすことになる。
【００３１】
この発明の窃盗防止装置は上記のような構成であり、次に自動販売機に対する使用方法を説明する。
【００３２】
図１の実線のように、例えば、窃盗防止装置１１の第１のアーム１２を自動販売機１の本体１ａの側面にスペーサプレート３５を介して固定し、第１のアーム１２の先端に取り付けた第２のアーム１３が錠本体２５に挿入したキー３３の操作で、一本の錠装置１５を支点にして伸直状態と背面側へのＬ字状の折り曲げとが選択でき、自動販売機１の扉２の錠前を施錠した状態で、第２のアーム１３を折り曲げてロックすると、扉２の錠前が第２のアーム１３で覆われ、扉２の錠前を故意に破壊しようとする行為から保護することができる。
【００３３】
第２のアーム１３を折り曲げてロックしたときの施錠状態の錠装置１５は、図６（Ａ）のように、錠本体２５が上昇位置にあり、ロック部材２９が角孔２３と角形凹部１９の両者に跨がって嵌まり合い、第１のアーム１２と第２のアーム１３のＬ字状の屈曲状態を固定化すると共に、図７（Ｄ）のように、鍔２８は係止突部３４より上方にあって切り欠き部分２７が係止突部３４の直上から変位し、係止突部３４に対して引き下げ方向に係合することで錠本体２５の下降位置への移動を阻止し、錠装置１５は下位支持片１７から突出部分がないように収納されている。
【００３４】
また、自動販売機１の扉２を開きたい場合は、錠本体２５の鍵孔にキー３３を差し込み、錠本体２５を開錠位置に回動させると、図７（Ａ）のように、一体に回動する鍔２８の切り欠き部分２７が係止突部３４の直上に臨み、この状態でキー３３と共に錠本体２５を引き下げると、鍔２８は切り欠き部分２７が係止突部３４を通過して下降し、図６（Ｂ）のように、同時にロック部材２９も下降して角形凹部１９から抜け出ることで、第１のアーム１２と第２のアーム１３の固定が解かれることになり、錠装置１５を支点にして第２のアーム１３を第１のアーム１２の先端において伸直状になるよう回動させることで、扉２の前面と錠前が開放され、錠前を開錠して扉２を開くことができる。この時、キー３３は鍵孔から抜けない状態となる。
【００３５】
上記の状態から扉２の錠前を保護するには、自動販売機１の扉２を閉じて施錠した後、第２のアーム１３を折り曲げ、キー３３と共に錠本体２５を押し上げると、鍔２８の切り欠き部分２７が係止突部３４を通過して上昇し、同時にロック部材２９も上昇して角孔２３と角形凹部１９にわたって嵌まり合い、この押し上げ位置でキー３３と共に錠本体２５を施錠位置に回動させると、図７（Ｄ）のように、鍔２８の切り欠き部分２７が係止突部３４の直上から変位し、錠本体２５の下降位置への移動が阻止されるのて、鍵孔からキー３３を抜き取ればよい。
【００３６】
上記のような窃盗防止装置１１は、自動販売機１への取り付け時に錠装置１５が下向きになるよう配置するのか望ましく、この発明の窃盗防止装置１１は、第１のアーム１２と第２のアーム１３にそれぞれビス孔１８、２２を設けたので、何れの側でも自動販売機１の本体ａに固定することができ、従って、自動販売機１の扉２が図１に示すような左開きの場合は、同図に実線で示すように、第１のアーム１２を自動販売機１の本体ａに固定し、また、自動販売機１の扉が右開きの場合は、同図一点鎖線のように、第２のアーム１２を自動販売機１の本体ａに固定して使用することができ、何れの使用においても錠装置１５は下向きの配置になる。
【００３７】
また、自動販売機１の条件によっては、窃盗防止装置１１を自動販売機１の上部又は下部の位置に取り付け、第１のアーム１２と第２のアーム１３の何れか一方が扉２の前面を覆うようにして開扉を不能にするように使用できる。
【００３８】
なお、窃盗防止装置１１の用途は自動販売機１に限定されるものではなく、例えば、ガレージや工場の扉に対しても、安全向上のために使用することができる。
【００３９】
【発明の効果】
以上のように、この発明によると、第１のアームと第２のアームの一方を自動販売機等の本体に固定し、他方のアームで扉の前面を覆うようにした窃盗防止装置において、第１のアームと第２のアームを、一本の錠装置を支点にして伸直状態から一面側へＬ字状に折り曲げ可能となるよう連結したので、ヒンジ機構の構造を簡略化して製作コストの低減が可能になり、かつ、自動販売機等の扉の開閉時の操作性を簡略化することができる。
【００４０】
また、第１のアームと第２のアームの何れにもビス孔を設けることにより、自動販売機等の扉の左右開き勝手の違いに対して対応することができるようになる。
【図面の簡単な説明】
【図１】この発明の窃盗防止装置を取り付けた自動販売機の斜視図
【図２】自動販売機への窃盗防止装置の取り付け状態を示す一部切り欠き平面図
【図３】（Ａ）は第１のアームの平面図、（Ｂ）は同正面図
【図４】（Ａ）は第２のアームの平面図、（Ｂ）は同正面図
【図５】窃盗防止装置の要部の構造を示す分解斜視図
【図６】（Ａ）は錠機構の施錠状態を示す縦断正面図、（Ｂ）は同開錠状態を示す縦断正面図
【図７】（Ａ）は図６（Ｂ）の矢印ａ−ａでの横断平面図、（Ｂ）は図６（Ｂ）の矢印ｂ−ｂでの横断平面図、（Ｃ）は図６（Ｂ）の矢印ｃ−ｃでの横断平面図、（Ｄ）は図６（Ａ）の矢印ｄ−ｄでの横断平面図
【図８】従来の窃盗防止装置を取付けた自動販売機の斜視図
【図９】従来の窃盗防止装置を示す背面図
【図１０】（Ａ）乃至（Ｃ）のそれぞれは、従来の窃盗防止装置の折り曲げ操作の順番を示す斜視図
【符号の説明】
１１　窃盗防止装置
１２　第１のアーム
１３　第２のアーム
１４　ヒンジ機構
１５　錠装置
１６　支持片
１７　支持片
１８　ビス孔
１９　取り付け孔
２０　角形凹部
２１　取付片
２２　ビス孔
２３　角孔
２４　外筒
２５　錠本体
２６　軸
２７　切り欠き部分
２８　鍔
２９　ロック部材
３０　筒体
３１　長孔
３２　回り止めビス
３３　キー
３４　係止突部
３５　スペーサプレート
３６　埋め込みボルト
３７　植込みボルト
【図１】
2004019317.tif 000003
【図２】
2004019317.tif 000004
【図３】
2004019317.tif 000005
【図４】
2004019317.tif 000006
【図５】
2004019317.tif 000007
【図６】
2004019317.tif 000008
【図７】
2004019317.tif 000009
【図８】
2004019317.tif 000010
【図９】
2004019317.tif 000011
【図１０】
2004019317.tif 000012